(57)【要約】【課題】必要な経費を大幅に上げることなく設定操作の操作ステップ数を削減することを目的とする。【解決手段】機能設定装置が、機能キーを有する操作手段と、表示手段と、前記操作手段の機能キーが押下されると機能に設定値を設定させる機能設定画面を前記表示手段に表示させる制御手段とを具備する機能設定装置であって、前記制御手段は、前記操作手段の所定の機能キー（第１の機能キー）が押下されてから所定の時間（複数機能設定時間）内に第１の機能キー以外の機能キーが押下されると、第１の機能キーと第１の機能キー以外の押下された機能キーとに応じた機能各々に設定値を設定する。【選択図】図１
2011090368.tif 000002
【特許請求の範囲】
【請求項１】
機能キーを有する操作手段と、表示手段と、前記操作手段の機能キーが押下されると機能の設定値を設定させる機能設定画面を前記表示手段に表示させる制御手段とを具備する機能設定装置であって、
前記制御手段は、前記操作手段の所定の機能キー（第１の機能キー）が押下されてから所定の時間（複数機能設定時間）内に第１の機能キー以外の機能キーが押下されると、第１の機能キーと第１の機能キー以外の押下された機能キーとに応じた機能各々に設定値を設定することを特徴とする機能設定装置。
【請求項２】
前記制御手段は、第１の機能キーが押下されてから前記複数機能設定時間が経過しても第１の機能キー以外の機能キーが押下されない場合に、第１の機能キーに応じた機能設定画面を前記表示手段に表示させることを特徴とする請求項１に記載の機能設定装置。
【請求項３】
前記制御手段は、前記操作手段が時間変更指示を受け付けると、前記時間変更指示に基づいて前記複数機能設定時間を変更することを特徴とする請求項１または２に記載の機能設定装置。
【請求項４】
前記制御手段は、機能各々に設定する設定値が機能の組み合わせ毎に登録された複数機能設定情報を記憶し、前記複数機能設定時間内に第１の機能キー以外の機能キーが押下されると、前記複数機能設定情報に基づいて機能各々に設定値を設定することを特徴とする請求項１〜３のいずれかに記載の機能設定装置。
【請求項５】
前記制御手段は、前記複数機能設定時間内に第１の機能キー以外の機能キーが押下されると、設定頻度の高い設定値を機能各々に設定することを特徴とする請求項１〜３のいずれかに記載の機能設定装置。
【請求項６】
請求項１〜５のいずれかに記載の機能設定装置を具備し、機能設定装置により機能に設定された設定値に基づいて画像形成することを特徴とする画像形成装置。
【発明の詳細な説明】
【技術分野】
【０００１】
本発明は、機能設定装置及び画像形成装置に関する。
【背景技術】
【０００２】
複合機、複写機及びプリンタなどの画像形成装置では、画像形成に対する多種多様な機能（集約機能及びページ付け機能など）を設定することができる。しかし、画像形成に対する多種多様な機能の設定が可能になったことで操作が大変複雑になった。その結果、操作の面でユーザに大きな負担をかけるという問題が生じた。
そのため、このような問題を解消する発明として、下記特許文献１には、設定操作を容易にする画像形成装置が提案されている。この画像形成装置は、記録媒体から機能設定するための機能識別情報を読み取る読取部と、読取部が記録媒体から読み取った機能識別情報に対応する機能を特定し、特定した機能の動作を画像形成部に実行させる制御部とを備える。
【０００３】
また、下記特許文献２には、機能を変更するときに生じる負担を軽減できる画像形成装置が提案されている。この画像形成装置は、機能の指定を受け付ける指定手段と、指定手段により指定された機能と、指定された機能以外の残りの機能との組み合わせを判断する判断手段と、判断手段の判断結果に基づいて残りの機能のうち指定された機能と組み合わせ可能な機能と、組み合わせ不可能な機能とを分類して表示する表示手段とを備える。
【先行技術文献】
【特許文献】
【０００４】
【特許文献１】特開２００４−３３０７０８号公報
【特許文献２】特開２００７−１４２６３８号公報
【発明の概要】
【発明が解決しようとする課題】
【０００５】
ところで、上記特許文献１及び特許文献２は、操作性の複雑化で生じたユーザの負担を軽減することができる。しかしながら、上記特許文献１では、読取部が読み取った機能識別情報に基づいて機能を設定することで設定操作を簡単にしているが、画像形成装置に新たに読取部を搭載しなければならずまた情報記憶媒体も必要になるので、必要経費が大幅に上がる。また、上記特許文献２では、最初に設定した機能に対して組み合わせ可能な機能と、組み合わせ不可能な機能とを表示することで、ユーザに組み合わせ可能な機能を通知しているが、設定の操作ステップはいままでと同じ、すなわちボタンの押下により機能画面を開いてから設定しなければならないので、操作ステップ数の大幅な削減は期待できない。
【０００６】
本発明は、上述した事情に鑑みてなされたものであり、必要な経費を大幅に上げることなく設定操作の操作ステップ数を削減することを目的とする。
【課題を解決するための手段】
【０００７】
上記目的を達成するために、本発明では、機能設定装置に係る第１の解決手段として、機能キーを有する操作手段と、表示手段と、前記操作手段の機能キーが押下されると機能に設定値を設定させる機能設定画面を前記表示手段に表示させる制御手段とを具備する機能設定装置であって、前記制御手段は、前記操作手段の所定の機能キー（第１の機能キー）が押下されてから所定の時間（複数機能設定時間）内に第１の機能キー以外の機能キーが押下されると、第１の機能キーと第１の機能キー以外の押下された機能キーとに応じた機能各々に設定値を設定するという手段を採用する。
【０００８】
本発明では、機能設定装置に係る第２の解決手段として、上記第１の解決手段において、前記制御手段は、第１の機能キーが押下されてから複数機能設定時間が経過しても第１の機能キー以外の機能キーが押下されない場合に、第１の機能キーに応じた機能設定画面を前記表示手段に表示させるという手段を採用する。
【０００９】
本発明では、機能設定装置に係る第３の解決手段として、上記第１または第２の解決手段において、前記制御手段は、前記操作手段が時間変更指示を受け付けると、前記時間変更指示に基づいて前記複数機能設定時間を変更するという手段を採用する。
【００１０】
本発明では、機能設定装置に係る第４の解決手段として、上記第１〜第３のいずれかの解決手段において、前記制御手段は、機能各々に設定する設定値が機能の組み合わせ毎に登録された複数機能設定情報を記憶し、前記複数機能設定時間内に第１の機能キー以外の機能キーが押下されると、前記複数機能設定情報に基づいて機能各々に設定値を設定するという手段を採用する。
【００１１】
本発明では、機能設定装置に係る第５の解決手段として、上記第１〜第３のいずれかの解決手段において、前記制御手段は、前記複数機能設定時間内に第１の機能キー以外の機能キーが押下されると、設定頻度の高い設定値を機能各々に設定するという手段を採用する。
【００１２】
また、本発明では、画像形成装置に係る解決手段として、上記第１〜第５のいずれかの解決手段を採用する機能設定装置を具備し、機能設定装置により機能に設定された設定値に基づいて画像形成するという手段を採用する。
【発明の効果】
【００１３】
本発明によれば、第１の機能キーが押下されてから複数機能設定時間内に第１の機能キー以外の機能キーが押下されると、第１の機能キーと第１の機能キー以外の押下された機能キーとに応じた機能各々に設定値を設定する。このように、本発明は、第１の機能キーが押下されてから複数機能設定時間内に第１の機能キー以外の機能キーが押下されると、複数の機能の設定値を自動的に設定するので、設定操作の操作ステップ数を削減することができる。また、上記動作は高いハードウェアを新たに搭載しなくても実現できるので、大幅に経費が上がることはない。
【図面の簡単な説明】
【００１４】
【図１】本発明の一実施形態に係る複合機Ａの機能ブロック図である。
【図２】本発明の一実施形態に係る複合機Ａの複数機能設定情報テーブルを示す模式図である。
【図３】本発明の一実施形態に係る複合機Ａの複数機能設定動作を示すフローチャートである。
【図４】本発明の一実施形態に係る複合機Ａの機能キーが表示された画面の一例を示す図である。
【発明を実施するための形態】
【００１５】
以下、図面を参照して、本発明の一実施形態について説明する。
本実施形態に係る複合機（画像形成装置）Ａは、コピー機能、プリント機能、スキャン機能及びファクシミリ送信／受信機能を併せ持つ。複合機Ａは、図１に示すように、ＣＰＵ(Central Processing Unit)１、ＲＯＭ(Read Only Memory)２、ＲＡＭ(Random Access Memory)３、各種センサ群４、画像読取部５、画像データ記憶部６、用紙搬送／画像形成部７、通信Ｉ／Ｆ部８、操作表示部９、複数機能設定情報記憶部１０及び禁則情報記憶部１１を備えている。
なお、上記ＣＰＵ１、ＲＯＭ２、ＲＡＭ３、複数機能設定情報記憶部１０及び禁則情報記憶部１１は、本実施形態における制御手段である。
【００１６】
ＣＰＵ１は、ＲＯＭ２に記憶されている制御プログラム、各種センサ群４から受信する各種検出信号、画像データ記憶部６に記憶されている原稿画像データ、プリント画像データ及びファクシミリ画像データ、通信Ｉ／Ｆ部８を介して外部（クライアントコンピュータ及び公衆網など）から入力される各種指示並びに操作表示部９から入力される操作指示に基づいて複合機Ａの全体動作を制御する。なお、このＣＰＵ１の制御処理の詳細については、複合機Ａの動作として後述する。
ＲＯＭ２は、ＣＰＵ１で実行される制御プログラム及びその他のデータを記憶する不揮発性メモリである。
【００１７】
ＲＡＭ３は、ＣＰＵ１が制御プログラムを実行して各種動作を行う際に、データの一時保存先となるワーキングエリアとして用いられる揮発性メモリである。
各種センサ群４は、例えば、原稿セット検出センサ、用紙切れ検出センサ、用紙詰まり検出センサ、用紙位置検出センサ、温度センサ及び筐体（図示略）のカバー開閉検出センサなどの画像形成動作に必要な各種センサであり、それぞれのセンサで検出した各種の情報を検出信号としてＣＰＵ１に出力する。
【００１８】
画像読取部５は、ＡＤＦ（自動原稿送り装置）とＣＣＤ(Charge Coupled Device)センサなどを備え、ＣＰＵ１の制御指令の下でＡＤＦによって順次給紙される原稿の画像をＣＣＤセンサに読み取らせ、原稿画像に基づく原稿画像データをＣＰＵ１に出力する。一方、ＣＰＵ１は、原稿画像データを画像データ記憶部６に記憶させる。
画像データ記憶部６は、例えばフラッシュメモリまたはハードディスクであり、ＣＰＵ１の制御指令の下で原稿画像データ、通信Ｉ／Ｆ部８が外部から受信するプリント画像データ及びファクシミリ画像データを記憶する。
【００１９】
用紙搬送／画像形成部７は、プリントエンジン（感光ドラム、帯電器、現像装置及び定着ローラなど）、給紙ローラ及び排紙ローラなどを備える。この用紙搬送／画像形成部７は、ＣＰＵ１の制御指令の下で給紙トレイ（図示略）から印刷用紙を給紙ローラで搬送し、画像データ記憶部６の画像データに基づく画像（トナーからなる画像）を印刷用紙に転写し、当該印刷用紙を排紙ローラで排紙トレイ（図示略）に搬送する。
通信Ｉ／Ｆ部８は、外部のクライアントコンピュータ及び公衆網に接続し、このクライアントコンピュータ及び公衆網との間で各種信号の送受信を行う。
【００２０】
操作表示部９は、コピー機能キー、プリント機能キー、スキャン機能キー、ファクシミリ機能キー、スタートキー、ストップ／クリアキー、電源キー、テンキー（数値入力キー）などのハードウェアキーと、タッチパネル９ａとを備えており、それぞれのキーの操作指示をＣＰＵ１に出力するとともにＣＰＵ１の制御指令の下でタッチパネル９ａに種々の画面を表示する。上記コピー機能キー、プリント機能キー、スキャン機能キー及びファクシミリ機能キーは、各機能を起動するためのキーである。
【００２１】
タッチパネル９ａは、液晶パネルのガラス基板上に光センサが取り付けられたものであり、上記光センサにより指などの動きを検出することで押下位置を検出する。そして、タッチパネル９ａは、同時に多点が押下されても、多点の押下位置を個別に検出することができる。なお、上記操作表示部９のハードウェアキー及びタッチパネル９ａが、本実施形態における操作手段である。また、タッチパネル９ａが、本実施形態における表示手段である。
【００２２】
複数機能設定情報記憶部１０は、例えばフラッシュメモリであり、コピー機能における複数機能設定の機能の組み合わせ毎の設定値が登録された複数機能設定情報テーブルを記憶している。上記複数機能設定情報テーブルは、図２に示すように、機能の組み合わせ毎の機能名（第１の機能の機能名と第２の機能の機能名）と、機能の組み合わせ毎の設定値（第１の機能の設定値と第２の機能の設定値）が登録されたデータテーブルである。ＣＰＵ１は、複数機能設定情報テーブルに基づいて複数機能設定を実行する。そして、これら複数機能設定情報テーブルの情報は、予めユーザにより登録されたものである。
禁則情報記憶部１１は、例えばフラッシュメモリであり、コピー機能における複数機能設定において禁止されている機能の組み合わせが登録された禁則情報を記憶する。
【００２３】
次に、上記構成の本実施形態に係る複合機Ａの複数機能設定動作について、図３を参照して説明する。
まず、複合機Ａにより原稿をコピーしようとするユーザは、画像読取部５のＡＤＦに原稿をセットする。そして、ユーザは、操作表示部９を操作することで、コピーの各種機能を設定する。
【００２４】
ＣＰＵ１は、タッチパネル９ａ上に表示されている所定の機能キー（第１の機能キー）が押下されたか否か判定する（ステップＳ１）。なお、機能キーとは、コピー機能における集約機能、ページ付け機能などの各機能の設定値を設定させる機能設定画面の表示指示を受け付けるキーである。ＣＰＵ１は、ステップＳ１において『ＮＯ』と判定した場合には、すなわち第１の機能キーが押下されていない場合には、第１の機能キーが押下されるまで待機する。ＣＰＵ１は、ステップＳ１において『ＹＥＳ』と判定した場合には、すなわち第１の機能キーが押下された場合には、所定の時間（複数機能設定時間）を測るカウンタを起動する（ステップＳ２）。
なお、複数機能設定時間は、初期設定として予めユーザにより設定される。ＣＰＵ１は、操作表示部９が時間変更指示を受け付けると、時間変更指示に基づいて複数機能設定時間を変更する。
【００２５】
ＣＰＵ１は、ステップＳ２の後に、第１の機能キー以外の機能キーが押下されたか否か判定する（ステップＳ３）。ＣＰＵ１は、ステップＳ３において『ＮＯ』と判定した場合には、すなわち第１の機能キー以外の機能キーが押下されていない場合には、カウンタは複数機能設定時間を測り終えたか否か判定する（ステップＳ４）。
ＣＰＵ１は、ステップＳ４において『ＮＯ』と判定した場合には、すなわちカウンタは複数機能設定時間を測り終えていない場合には、ステップＳ３に戻る。
【００２６】
ＣＰＵ１は、ステップＳ４において『ＹＥＳ』と判定した場合には、すなわちカウンタは複数機能設定時間を測り終えた場合には、単機能設定であると判定し、第１の機能キーに応じた機能設定画面をタッチパネル９ａに表示させる（ステップＳ５）。
ステップＳ３に戻って、ＣＰＵ１は、ステップＳ３において『ＹＥＳ』と判定した場合には、すなわち第１の機能キー以外の機能キーが押下された場合には、第１の機能キーに応じた機能と第１の機能キー以外に押下された機能キーに応じた機能との組み合わせは設定可能か否か禁則情報記憶部１１の禁則情報に基づいて判定する（ステップＳ６）。
【００２７】
ＣＰＵ１は、ステップＳ６において『ＮＯ』と判定した場合には、すなわち機能の組み合わせが禁止されている場合には、発音部（不図示）にエラー音を発音させ、または／並びに機能の組み合わせが禁止されている旨のエラー画面をタッチパネル９ａに表示させる（ステップＳ７）。
ＣＰＵ１は、ステップＳ６において『ＹＥＳ』と判定した場合には、すなわち機能の組み合わせが設定可能である場合には、押下された複数の機能キーに応じた機能各々に設定値を複数機能設定テーブルに基づいて設定する（ステップＳ８）。
そして、ＣＰＵ１は、スタートキーが押下されると、機能の設定値に基づいてコピー動作を画像読取部５、画像データ記憶部６及び用紙搬送／画像形成部７などの各部に実行させる。
【００２８】
次に、上記複数機能設定の設定例について、図４を参照して具体的に説明する。例えば、ユーザが、図４に示す複合機Ａの画面の「集約」機能キーが第１の機能キーとして押下され、複数機能設定時間内に「ページ付け」機能キーが第１の機能キー以外の機能キーとして押下されたとする。すると、ＣＰＵ１は、複数機能設定情報テーブル（図２参照）の１番目に基づいて「集約」機能に設定値「２ｉｎ１」を設定し、「ページ付け」機能に設定値「‐１‐」を設定する。
【００２９】
なお、上記「ページ付け機能」の設定値の「‐１‐」とは、印刷用紙に描くページの表記デザインを示している。具体的には、印刷用紙の１ページ目の下の真ん中に「‐１‐」が挿入され、２ページ目の下の真ん中に「‐２‐」が挿入される。この「‐１‐」のほかに「Ｐ．１」及び「１／総ページ数ｎ」がある。
【００３０】
この例以外にも、「集約」機能キーが第１の機能キーとして押下され、「連続読み込み」機能キーが第１の機能キー以外の機能キーとして押下された場合には、ＣＰＵ１は、複数機能設定情報テーブルの２番目に基づいて「集約」機能に設定値「２ｉｎ１」を設定し、「連続読み込み」機能に設定値「実行」を設定する。また、「ページ付け」機能キーが第１の機能キーとして押下され、「連続読み込み」機能キーが第１の機能キー以外の機能キーとして押下された場合には、ＣＰＵ１は、複数機能設定情報テーブルの３番目に基づいて「ページ付け」機能に設定値「‐１‐」を設定し、「連続読み込み」機能に設定値「実行」を設定する。さらに、図４以外の他の画面に表示されている「再コピー」機能キーが第１の機能キーとして押下され、「エコプリント」機能キーが第１の機能キー以外の機能キーとして押下された場合には、ＣＰＵ１は、複数機能設定情報テーブルの４番目に基づいて「再コピー」機能に設定値「実行」を設定し、「エコプリント」機能に「実行」を設定する。
【００３１】
以上のように、本実施形態に係る複合機Ａでは、ＣＰＵ１は、第１の機能キーが押下されてから複数機能設定時間内に第１の機能キー以外の機能キーが押下されると、第１の機能キーと第１の機能キー以外の押下された機能キーとに応じた機能各々に設定値を設定する。このように、複合機Ａは、第１の機能キーが押下されてから複数機能設定時間内に第１の機能キー以外の機能キーが押下されると、複数の機能の設定値を自動的に設定するので、設定操作の操作ステップ数を削減することができる。また、上記動作は高いハードウェアを新たに搭載しなくても実現できるので、大幅に経費が上がることはない。
【００３２】
以上、本発明の一実施形態について説明したが、本発明は上記実施形態に限定されることなく、例えば以下のような変形が考えられる。
（１）上記実施形態は、第１の機能キーが押下されてから複数機能設定時間内に第１の機能キー以外の機能キーが押下されると、第１の機能キーと第１の機能キー以外の押下された機能キーとに応じた機能各々に設定値を複数機能設定情報テーブルに基づいて設定したが、本発明はこれに限定されない。
例えば、第１の機能キーが押下されてから複数機能設定時間内に第１の機能キー以外の機能キーが押下されると、設定頻度の高い設定値を機能各々に設定するようにしてもよい。
【００３３】
（２）上記実施形態では、機能キーがタッチパネル９ａ上に表示されたものであったが、本発明はこれに限定されない。
例えば、機能キーが、タッチパネル９ａ上に表示されるソフトウェアキーではなく、ハードウェアキーであってもよい。
【００３４】
（３）上記実施形態は、画像形成装置の１つである複合機Ａに本発明を適用したものであるが、本発明の適用範囲はこれに限定されない。例えば、パーソナルコンピュータ及び携帯端末等の機能を設定する仕組みを有するあらゆる機能設定装置に、本発明を適用することができる。
【符号の説明】
【００３５】
Ａ…複合機、１…ＣＰＵ、２…ＲＯＭ、３…ＲＡＭ、４…各種センサ群、５…画像読取部、６…画像データ記憶部、７…用紙搬送／画像形成部、８…通信Ｉ／Ｆ部、９…操作表示部、９ａ…タッチパネル、１０…複数機能設定情報記憶部、１１…禁則情報記憶部
【図１】
2011090368.tif 000003
【図２】
2011090368.tif 000004
【図３】
2011090368.tif 000005
【図４】
2011090368.tif 000006